(57)【要約】【課題】生産履歴をより詳細に把握することが可能なミシンの生産管理装置を実現する。【解決手段】縫製システム装置１００は、タイミング信号としての糸切り信号を検出し、その糸切り信号の発生時刻によって示される、縫製が実行された時間の情報である縫製時間データに基づいて、所定の縫製が終了した縫製終了数を所定の単位時間毎に取得し、その縫製終了数を単位時間毎に集計した時間対縫製終了数の棒グラフとして操作パネル２０の表示部２１に表示するとともに、その棒グラフに関し任意に設定された時間範囲に対応する時間範囲内の縫製終了数の部分と、その時間範囲外の縫製終了数の部分とを識別可能に異なる表示形態で棒グラフに表示することを可能にした。【選択図】図６
2008125865.tif 000002
【特許請求の範囲】
【請求項１】
所定の縫製が開始または終了する毎に検出されるタイミング信号に基づいて、そのタイミング信号の発生時刻を特定する情報を縫製時間データとして記憶する縫製時間記憶手段と、
前記縫製時間記憶手段に記憶された縫製時間データに基づいて、前記所定の縫製の縫製終了数を所定の単位時間毎に取得する縫製終了数取得手段と、
前記縫製終了数取得手段により取得された単位時間毎の縫製終了数を、時間対縫製終了数の棒グラフとして表示する表示手段と、
前記縫製時間記憶手段に記憶された縫製時間データが及ぶ縫製時間範囲から、任意の時間範囲を設定する時間範囲設定手段と、
前記時間範囲設定手段により設定された時間範囲に対応する時間範囲内の縫製終了数の部分と、その時間範囲外の縫製終了数の部分とを、異なる表示形態で棒グラフに表示する表示制御手段と、
を備えることを特徴とするミシンの生産管理装置。
【請求項２】
前記時間範囲設定手段により設定された時間範囲内における縫製終了数と、その時間範囲内に終了した各縫製に要した平均所要時間との少なくとも一方を取得する時間範囲内データ取得手段を備え、
前記表示制御手段は、前記時間範囲内データ取得手段により取得された時間範囲内データを前記表示手段に表示することを特徴とする請求項１に記載のミシンの生産管理装置。
【発明の詳細な説明】
【技術分野】
【０００１】
本発明は、ミシンの生産管理装置に係り、特に、縫製工場で作業者が縫い上げる被縫製物の枚数などの生産履歴を集計するためのミシンの生産管理装置に関する。
【背景技術】
【０００２】
従来、製品が製造される工程を管理する生産管理システムにおいて、単位時間や単位日数あたりの生産数量や出来高などの生産履歴を集計して、グラフ表示する技術が知られている（例えば、特許文献１参照。）。
【特許文献１】特公平６−３０４号公報（第３２図）
【発明の開示】
【発明が解決しようとする課題】
【０００３】
しかしながら、上記従来技術の場合、グラフ表示される製品の生産数量は単位時間や単位日数あたりの値で表示されるため、その単位時間や単位日数などの時間範囲の中で製造ロットや作業者などが切り替わった場合でも、異なる製造ロットの製品の生産数量がまとめられた状態で表示されてしまうので、製造ロットや作業者毎の生産数量を確認することは困難であった。
また、製造ロットや作業者などが切り替えられる際に生産ラインが止まるなどのロスが単位時間や単位日数に含まれてしまうので、その単位時間や単位日数あたりの出来高に誤差が生じてしまうという問題があった。
【０００４】
本発明の目的は、生産履歴をより詳細に把握することが可能なミシンの生産管理装置を提供することである。
【課題を解決するための手段】
【０００５】
以上の課題を解決するため、請求項１に記載の発明は、ミシンの生産管理装置であって、所定の縫製が開始または終了する毎に検出されるタイミング信号に基づいて、そのタイミング信号の発生時刻を特定する情報を縫製時間データとして記憶する縫製時間記憶手段と、縫製時間記憶手段に記憶された縫製時間データに基づいて、所定の縫製の縫製終了数を所定の単位時間毎に取得する縫製終了数取得手段と、縫製終了数取得手段により取得された単位時間毎の縫製終了数を、時間対縫製終了数の棒グラフとして表示する表示手段と、縫製時間記憶手段に記憶された縫製時間データが及ぶ縫製時間範囲から、任意の時間範囲を設定する時間範囲設定手段と、時間範囲設定手段により設定された時間範囲に対応する時間範囲内の縫製終了数の部分と、その時間範囲外の縫製終了数の部分とを、異なる表示形態で棒グラフに表示する表示制御手段と、を備えることを特徴とする。
【０００６】
請求項１に記載の発明によれば、ミシンの生産管理装置は、所定の縫製が開始または終了する毎に出力されるタイミング信号を検出し、そのタイミング信号の発生時刻を特定する情報である縫製時間データに基づいて、所定の縫製が終了した縫製終了数を所定の単位時間毎に取得し、その縫製終了数を単位時間毎に集計した時間対縫製終了数の棒グラフとして表示手段に表示することができる。
そして、ミシンの生産管理装置は、表示手段に表示される時間対縫製終了数の棒グラフに関し、任意に設定された時間範囲に対応する時間範囲内の縫製終了数の部分と、その時間範囲外の縫製終了数の部分とを識別可能に異なる表示形態で棒グラフに表示することができる。
【０００７】
請求項２記載の発明は、請求項１に記載のミシンの生産管理装置において、時間範囲設定手段により設定された時間範囲内における縫製終了数と、その時間範囲内に終了した各縫製に要した平均所要時間との少なくとも一方を取得する時間範囲内データ取得手段を備え、表示制御手段は、時間範囲内データ取得手段により取得された時間範囲内データを前記表示手段に表示することを特徴とする。
【０００８】
請求項２に記載の発明によれば、請求項１に記載の発明と同様の作用を奏するとともに、ミシンの生産管理装置は、設定された任意の時間範囲内における縫製終了数と、その時間範囲内に終了した各縫製に要した平均所要時間との少なくとも一方を取得することができ、その取得した時間範囲内データである、時間範囲内における縫製終了数や、時間範囲内に終了した各縫製に要した平均所要時間を、表示手段に表示することができる。
【発明の効果】
【０００９】
請求項１に記載の発明によれば、ミシンの生産管理装置は、所定の縫製が開始または終了する毎に出力されるタイミング信号を検出し、そのタイミング信号の発生時刻を特定する情報である縫製時間データに基づいて、所定の縫製が終了した縫製終了数を所定の単位時間毎に取得し、その縫製終了数を単位時間毎に集計した時間対縫製終了数の棒グラフとして表示手段に表示することができる。更に、ミシンの生産管理装置は、表示手段に表示される時間対縫製終了数の棒グラフに関し、任意に設定された時間範囲に対応する時間範囲内の縫製終了数の部分と、その時間範囲外の縫製終了数の部分とを識別可能に異なる表示形態で棒グラフに表示することができる。
そして、ユーザは、表示手段に表示される棒グラフにおいて、この設定された任意の時間範囲内に対応する縫製終了部分を、視覚的に認識して確認することができる。
つまり、ミシンの生産管理装置において、所定の単位時間毎に集計されて表示される縫製終了数と、製造ロットや作業者などが切り替えられたタイミングなどに合わせて任意に設定した時間範囲に応じた縫製終了数の両方を、ユーザは容易に確認することができるので、ミシンにおける生産履歴をより詳細に把握することが可能になる。
よって、このミシンの生産管理装置は、縫製に関する生産履歴を容易に把握することができるミシンの生産管理装置であるといえる。
【００１０】
請求項２に記載の発明によれば、ミシンの生産管理装置は、設定された任意の時間範囲内における縫製終了数と、その時間範囲内に終了した各縫製に要した平均所要時間との少なくとも一方を取得することができ、その取得した時間範囲内データである、時間範囲内における縫製終了数や、時間範囲内に終了した各縫製に要した平均所要時間を、表示手段に表示することができる。
つまり、ミシンの生産管理装置が、設定された任意の時間範囲内と範囲外とにそれぞれ対応して異なる表示形態で表示する棒グラフとともに、時間範囲内における縫製終了数や時間範囲内に終了した各縫製に要した平均所要時間を、表示手段に表示することにより、ユーザは、任意の時間範囲内の縫製終了数や、時間範囲内に終了した各縫製に要した平均所要時間を容易に確認することができる。
よって、ミシンの生産管理装置において、縫製に関する生産履歴をより容易に把握することが可能になる。
【発明を実施するための最良の形態】
【００１１】
以下、本発明の実施の形態を図１から図１１に基づいて説明する。
本発明に係るミシンの生産管理装置は、ミシンを備える縫製システム装置にミシンの一部の機能として組み込まれている。
【００１２】
本実施形態たるミシンの生産管理装置としての縫製システム装置１００は、図１に示すように、ミシン１０と、ミシン１０に接続される操作パネル２０とを有する。
【００１３】
ミシン１０は、図１に示すように、電源スイッチ４のオンにより給電されるミシンモータ５と、ミシンモータ５の回転駆動がベルト６を介して伝達される図示しないミシン主軸と、そのミシン主軸の回転駆動により上下動する針棒２と、針棒２に交換可能に備えられるミシン針３と、針棒２（ミシン針３）の下方において被縫製物を布送りする布送り機構８と、ミシン１０を操作するためのペダル７と、ミシンの各部を制御する制御装置１１（図２参照）が内部に収容されている制御ボックス９等を備えている。なお、ミシン１０には、図示しない有線又は無線の回線（信号線）により操作パネル２０が接続されている。
【００１４】
また、ミシン１０は、図２に示すように、制御ボックス９内に収容される制御装置１１と、ペダル７の操作に基づきオンとなるスタートスイッチ１２と、ミシンの各部の状態を検出する各種センサー１４と、ミシンの各部を動作させる各種アクチュエータ１６と、ミシンの動作処理等に関する各種データが記憶されるメモリ１５と、図示しない糸切り機構を起動させる糸切りスイッチ１７等を備えている。
【００１５】
そして、ミシン１０において、ペダル７の操作に基づきスタートスイッチ１２がオンになることに伴いミシンモータ５が回転駆動して、針棒２（ミシン針３）が上下動する運針が開始されるとともに、布送り機構８が所定の布送りピッチで被縫製物を布送りすることによって、縫製が行われる。なお、ミシン１０は、各種センサー１４からの信号や、メモリ１５に記憶された縫製データや、操作パネル２０で設定されたデータ等に基づき、制御装置１１がミシンモータ５や布送り機構８、各種アクチュエータ１６等を制御して、縫製を実行する。
また、縫製終了時、ペダル７の操作に基づき糸切りスイッチ１７がオンとなることによって、図示しない糸切り機構が糸切りを行うとともに、ミシン１０（制御装置１１）は、その糸切り機構の糸切りに伴うタイミング信号である糸切り信号を、信号線１０ａを介して操作パネル２０に送信する。
【００１６】
操作パネル２０は、図２、図３に示すように、液晶表示を行う表示部２１と、表示部２１に重ね合わされる透明のタッチパネル式の各種操作ボタン２２と、ミシン１０において縫製された被縫製物の縫製枚数（縫製終了数）の計測を開始するためのスイッチ３０と、各種データを記憶するメモリ２４と、計時処理を行うタイマー２３と、操作パネルにおける各種制御処理を行うＣＰＵ２６等を備えている。
また、操作パネル２０には、メモリーカード３１などの記録媒体が着脱可能に備えられており、操作パネル２０は、そのメモリーカード３１に記録された各種情報やデータを読み出したり、様々な情報やデータをメモリーカード３１に書き込んだりすることが可能になっている。
そして、操作パネル２０は、各種操作ボタン２２が操作されたことに基づく各種操作信号に応じて、様々な演算や制御処理を実行する。そして、操作パネル２０において演算処理された各種データが、信号線１０ｂを介してミシン１０に送信されて、ミシン１０の縫製制御等に利用される。
【００１７】
表示部２１は、様々な操作キーやスイッチ、各種設定値や各種縫製データ等を表示可能になっている。特に、表示部２１は、単位時間毎の縫製終了数を、時間対縫製終了数の棒グラフとして表示する表示手段として機能する。
【００１８】
操作ボタン２２は、表示部２１に表示されている操作キーやスイッチに対応する位置が押下されて操作されたことに基づく各種操作信号をＣＰＵ２６に出力する。
【００１９】
タイマー２３は、縫製終了のタイミングを示すタイミング信号である糸切り信号が発生する毎にそのタイミング信号の発生時刻を特定する情報を縫製時間データとしてＣＰＵ２６に出力する。
なお、タイミング信号の発生時刻を特定する情報としては、タイミング信号の発生時刻そのものでもよいし、一つの基準時刻とその基準時刻の前後におけるタイミング信号の発生時間間隔とを組み合わせた情報でもよい。
【００２０】
ＣＰＵ２６は、タイマー２３が計時して検出した糸切り信号の発生時刻を、縫製時間データを記憶する縫製時間記憶手段としてのメモリ２４に出力する。
【００２１】
ＣＰＵ２６は、メモリ２４に記憶された縫製時間データ（例えば、糸切り信号の発生時刻）に基づいて、所定の縫製が終了した縫製終了数を所定の単位時間毎（例えば、１時間毎、２４時間（１日）毎など）に取得する縫製終了数取得手段として機能する。
また、ＣＰＵ２６は、縫製終了数取得手段としてのＣＰＵ２６により取得された単位時間毎の縫製終了数を、時間対縫製終了数の棒グラフとして表示部２１に表示させる制御を実行する。なお、ＣＰＵ２６が処理した表示に関するグラフ等のデータは、表示制御回路２５を介して出力されて表示部２１に表示される。また、そのグラフに関するデータは、メモリ２４に記憶し格納される。
【００２２】
また、ＣＰＵ２６は、後述する時間範囲設定手段の一部として機能する操作ボタン２２（例えば、範囲設定キー２２ａ、テンキー２２ｂ）が操作されたことに基づき、メモリ２４に記憶された縫製時間データが及ぶ縫製時間範囲から、任意の時間範囲を設定する時間範囲設定手段として機能する。
また、ＣＰＵ２６は、時間範囲設定手段としてのＣＰＵ２６により設定された時間範囲内における縫製終了数と、その時間範囲内に終了した各縫製に要した平均所要時間との少なくとも一方を時間範囲内データとして取得する時間範囲内データ取得手段として機能する。
また、ＣＰＵ２６は、時間範囲設定手段としてのＣＰＵ２６により設定された時間範囲に対応する時間範囲内の縫製終了数の部分と、その時間範囲外の縫製終了数の部分とを、異なる表示形態で棒グラフに表示する表示制御手段として機能する。
また、表示制御手段としてのＣＰＵ２６は、時間範囲内データ取得手段としてのＣＰＵ２６により取得された時間範囲内データである時間範囲内における縫製終了数や、その時間範囲内に終了した各縫製に要した平均所要時間を、表示部２１に表示する制御を実行する。
【００２３】
次に、縫製システム装置１００において行われる被縫製物の縫製終了数の計測に関する生産管理について説明する。
【００２４】
生産管理を行うために、ミシン１０による単位時間当たりの被縫製物の縫製終了数を計測する場合、まず、操作パネル２０のスイッチ３０をオンにする。スイッチ３０がオンになると、操作パネル２０のＣＰＵ２６は、被縫製物１枚の縫製が終了するごとに送信されてくる糸切り信号を検知する。そして、その糸切り信号を検知したタイミングは、タイマー２３が計時する時刻により検出することができるので、ＣＰＵ２６は、糸切り信号を検知した糸切り信号発生時刻を、被縫製物１枚の縫製終了を示す時刻として、メモリ２４に記憶する。
この糸切り信号の検知に伴い被縫製物１枚の縫製終了を示す時刻を記憶する、縫製終了数の計測処理の状態を図４に示す。
【００２５】
図４に示すように、例えば、スイッチ３０がオンにされ、被縫製物の縫製終了数の計測が時刻Ｔ０に開始されて、時刻ｔ１において糸切り信号が発生すると、その時刻ｔ１において被縫製物１枚の縫製が終了したことを意味するので、その時刻ｔ０及びｔ１をメモリ２４の所定のアドレスＡ０及びＡ１にそれぞれ記憶する。そして、スイッチ３０がオフにされて、縫製終了数の計測が終了される時刻までに順次発生する糸切り信号の発生時刻ｔ２、ｔ３…ｔｎを、連続するアドレスＡ２、Ａ３…Ａｎに順次記憶する。ここで、スイッチ３０がオンにされてからオフにされるまでの時間範囲が、メモリ２４に記憶された縫製時間データが及ぶ縫製時間範囲に対応する。
なお、メモリ２４はＦＩＦＯメモリとして構成されているので、容量がなくなると、最初に記憶された情報から失われていく。また、タイマー２３が計時し出力する時刻には、何時何分何秒などの時間情報だけでなく、何月何日などの日時情報も含まれているので、メモリ２４に記憶し格納されている時刻情報は、時間情報だけでなく日時情報も含む。
【００２６】
そして、ＣＰＵ２６は、メモリ２４に記憶されている縫製終了のタイミングを示す時刻データ（糸切り信号発生時刻）に基づき、所定の単位時間当たりの縫製終了数を各時間範囲ごとに所得し集計して、例えば、図５に示す操作パネル２０の表示部２１に表示されるような、時間対縫製終了数のグラフに関するグラフデータを作成する。なお、図５に示すグラフデータは、単位時間Ｄ１が６０分（１時間）と設定されているものである。
このグラフデータを作成する際に、ＣＰＵ２６は、計測開始時刻Ｔ０（０分）から１時間、２時間・・・と、単位時間ごとの時刻Ｔ１、Ｔ２・・・を計測するとともに、単位時間である各６０分間に対応するアドレスに糸切り信号発生時刻がいくつ記憶されているか計測する。
例えば、ＣＰＵ２６は、時刻Ｔ０直後の時刻ｔ１を記憶するアドレスと、６０分後の時刻Ｔ１までの時刻が記憶されているアドレスを求め、その両アドレス並びにその間のアドレスに記憶されている糸切り信号発生時刻の数を計測する。以下同様に、時刻Ｔ（ｉ）直後の時刻が記憶されているアドレスと、時刻Ｔ（ｉ＋１）までの時刻が記憶されているアドレスを求め、その両アドレス並びにその間のアドレスに記憶されている糸切り信号発生時刻の数を計測する。
具体的には、９時以降１０時までの６０分に検知され記録された糸切り信号は０個で縫製終了数は「０」、１０時以降１１時までの６０分に検知され記録された糸切り信号は９個で縫製終了数は「９」、１１時以降１２時までの６０分に検知され記録された糸切り信号は１２個で縫製終了数は「１２」、１２時以降１３時までの６０分に検知され記録された糸切り信号は１８個で縫製終了数は「１８」…のように、糸切り信号発生時刻の数に基づき縫製終了数を計測する。
なお、各単位時間ごとの縫製終了数（グラフデータ）は、メモリ２４に記憶される。
【００２７】
そして、操作パネル２０における所定の生産管理ボタン（図示省略）が押下されたことをＣＰＵ２６が検知すると、ＣＰＵ２６は、メモリ２４に記憶されているグラフデータに基づいて、操作パネル２０の表示部２１に、図５に示すようなグラフ画面を表示する。
なお、図５に示す表示部２１におけるグラフ画面には、グラフ表示エリア２１ａと、時間範囲設定手段の一部として機能する範囲設定キー２２ａとが備えられている。
そして、範囲設定キー２２ａなどを介して、任意の時間範囲（例えば、１２時１７分から１２時５３分）を設定することによって、図６に示す表示部２１におけるグラフ画面のように、設定された任意の時間範囲に対応する時間範囲内の縫製終了数の部分と、その時間範囲外の縫製終了数の部分とを、異なる色など異なる表示形態で棒グラフに表示することが可能になっている。
【００２８】
次に、この縫製システム装置１００における、グラフの表示形態を変化させる処理について、図７に示すフローチャートに基づき説明する。
【００２９】
まず、操作パネル２０における所定の生産管理ボタン（図示省略）が押下されたことに基づき、図５に示すようなグラフ画面が表示部２１に表示される（ステップＳ１０１）。
次いで、ＣＰＵ２６は、範囲設定キー２２ａが押下されたか否かを判断する（ステップＳ１０２）。
【００３０】
ＣＰＵ２６が、範囲設定キー２２ａは押下されていないと判断すると（ステップＳ１０２；Ｎｏ、ステップＳ１０１に戻る。
一方、ＣＰＵ２６が、範囲設定キー２２ａが押下されたと判断すると（ステップＳ１０２；Ｙｅｓ）、ＣＰＵ２６は、図８に示すような、時間範囲設定手段の一部として機能するテンキー２２ｂが備えられる表示画面を操作パネル２０の表示部２１に表示する（ステップＳ１０３）。
【００３１】
次いで、ＣＰＵ２６は、テンキー２２ｂが押下されて、任意の時間範囲が設定されたか否かを判断する（ステップＳ１０４）。特に、ＣＰＵ２６は、メモリ２４に記憶された縫製時間データが及ぶ縫製時間範囲から、任意の時間範囲が設定されたか否か、すなわち、設定された時間範囲が縫製時間データとして記憶された時間内に設定されているか否かを判断する。
なお、本実施形態における縫製時間データが及ぶ縫製時間範囲は、図５に示すように、９：００〜１８：００の範囲である。
【００３２】
ＣＰＵ２６が、メモリ２４に記憶された縫製時間データが及ぶ縫製時間範囲から、任意の時間範囲が設定されていないと判断すると（ステップＳ１０４；Ｎｏ）ステップＳ１０３に戻る。
一方、ＣＰＵ２６が、メモリ２４に記憶されている縫製時間データが及ぶ縫製時間範囲から、任意の時間範囲が設定されたと判断すると（ステップＳ１０４；Ｙｅｓ）、ＣＰＵ２６は、設定された時間範囲が所定の単位時間内であって、１本の棒グラフ内に収まる時間範囲か否かを判断する（ステップＳ１０５）。
具体的には、本実施形態においては、設定された任意の時間範囲が所定の単位時間である１時間（６０分）以内であって、同じ時台（何時０分以上６０分未満）である１本の棒グラフ内に収まるか否かを判断する。
より具体的には、本実施形態においては、例えば、図８に示すように、任意の時間範囲の開始時刻が「１２時１７分」、終了時刻が「１２時５３分」と設定された場合、ＣＰＵ２６は、設定された任意の時間範囲が所定の単位時間である１時間（６０分）以内であって、１２時台である１本の棒グラフ内に収まると判断する。
【００３３】
ＣＰＵ２６が、設定された任意の時間範囲が所定の単位時間内であって、１本の棒グラフ内に収まると判断すると（ステップＳ１０５；Ｙｅｓ）、ＣＰＵ２６は、その設定された任意の時間範囲が含まれる単位時間あたりの糸切り信号発生時刻の時刻データ（糸切り終了時の時刻データ）であって、その単位時間における縫製終了数のデータをメモリ２４から読み出す（ステップＳ１０６）。具体的には、本実施形態においては、例えば、図９に示すように、１２時台の時刻データであって、１８個の縫製終了数のデータをメモリ２４から読み出す。
そして、ＣＰＵ２６は、設定された任意の時間範囲である「１２時１７分」から「１２時５３分」までの間の縫製終了数と、開始時刻である「１２時１７分」より前の縫製終了数と、終了時刻である「１２時５３分」より後の縫製終了数を、それぞれ取得し、任意の時間範囲に関する縫製終了数を集計する（ステップＳ１０７）。なお、図９に示す１２時台の時刻データによれば、設定された任意の時間範囲である「１２時１７分」から「１２時５３分」までの間の縫製終了数は「１２」、開始時刻である「１２時１７分」より前の縫製終了数は「３」、終了時刻である「１２時５３分」より後の縫製終了数は「３」である。
また、ステップＳ１０７において、ＣＰＵ２６は、設定された任意の時間範囲内における縫製終了数と、その時間範囲内に終了した各縫製に要した平均所要時間との少なくとも一方を時間範囲内データとして取得する。具体的には、例えば、ＣＰＵ２６は、設定された任意の時間範囲内における縫製終了数である出来高を「１２（枚）」、その時間範囲内に終了した各縫製に要した平均所要時間（平均ピッチタイム）を「１７６．３（ｓｅｃ）」と算出するなどして取得する。
【００３４】
次いで、ＣＰＵ２６は、図６に示すように、操作パネル２０の表示部２１の時間範囲内データ表示エリア２１ｂに、平均ピッチタイム「１７６．３（ｓｅｃ）」と出来高「１２（枚）」との時間範囲内データをそれぞれ表示するとともに、図６に示すように、グラフ表示エリア２１ａの１２時台の棒グラフにおける、設定された任意の時間範囲に対応する時間範囲内の縫製終了数の部分と、その時間範囲外の縫製終了数の部分とを、異なる色で棒グラフに表示する（ステップＳ１０８）。具体的には、例えば、時間範囲内の縫製終了数の部分は青色、時間範囲外の縫製終了数の部分は白色で表示する。
ここで、時間範囲内に相当する青色表示部分は「１２時１７分」から「１２時５３分」までの間の縫製終了数「１２」であって、時間範囲外に相当する白色表示部分は、開始時刻である「１２時１７分」より前の縫製終了数「３」と、終了時刻である「１２時５３分」より後の縫製終了数「３」である。また、開始時刻である「１２時１７分」より前の９時台、１０時台、１１時台と、終了時刻である「１２時５３分」より後の１３時台、１４時台、１５時台、１６時台、１７時台、１８時台も、時間範囲外に相当する白色表示部分となる。
なお、棒グラフにおける時間範囲内の縫製終了数の部分と、その時間範囲外の縫製終了数の部分とを、異なる色で表示する際、時刻データの時間的連続性を考慮し、開始時刻の「１２時１７分」より前の縫製終了数である「３」相当部分の白色、「１２時１７分」から「１２時５３分」までの間の縫製終了数である「１２」相当部分の青色、終了時刻の「１２時５３分」より後の縫製終了数である「３」相当部分の白色を、下から順に積み上げるように色分けした棒グラフを表示する。
【００３５】
一方、ステップＳ１０５において、ＣＰＵ２６が、設定された任意の時間範囲が所定の単位時間を越えるものであって、１本の棒グラフ内に収まらないと判断すると（ステップＳ１０５；Ｎｏ）、ＣＰＵ２６は、その設定された任意の時間範囲における開始時刻が含まれる単位時間あたりの糸切り信号発生時刻の時刻データ（単位時間における縫製終了数のデータ）と、その設定された任意の時間範囲における終了時刻が含まれる単位時間あたりの糸切り信号発生時刻の時刻データ（単位時間における縫製終了数のデータ）をメモリ２４から読み出す（ステップＳ１０９）。
具体的には、本実施形態において、例えば、図１０に示す操作パネル２０の表示画面において、任意の時間範囲の開始時刻が「１２時１７分」、終了時刻が「１３時４３分」と設定された場合、ＣＰＵ２６は、設定された任意の時間範囲が所定の単位時間である１時間（６０分）以上であって、１本の棒グラフ内に収まらず、１２時台と１３時台の２本の棒グラフ内に収まるものと判断する。そして、ＣＰＵ２６は、１２時台と１３時台の時刻データをメモリ２４から読み出す。
【００３６】
そして、ＣＰＵ２６は、例えば、１２時台の時刻データに基づき、開始時刻である「１２時１７分」より前の縫製終了数は「３」、１２時台の時刻データにおける任意の時間範囲内の縫製終了数は「１５」であるとデータを取得し、また、ＣＰＵ２６は、１３時台の時刻データに基づき、終了時刻である「１３時４３分」より後の縫製終了数は「５」、１３時台の時刻データにおける任意の時間範囲内の縫製終了数は「９」であるとデータを取得し、それら縫製終了数を集計する（ステップＳ１１０）。
また、ステップＳ１１０において、ＣＰＵ２６は、設定された任意の時間範囲内における縫製終了数と、その時間範囲内に終了した各縫製に要した平均所要時間との少なくとも一方を時間範囲内データとして取得する。具体的には、例えば、ＣＰＵ２６は、設定された任意の時間範囲内における縫製終了数である出来高を「（１５＋９＝）２４（枚）」、その時間範囲内に終了した各縫製に要した平均所要時間（平均ピッチタイム）を「１２３（ｓｅｃ）」と算出するなどして取得する。
【００３７】
そして、ステップＳ１０８に移行し、ＣＰＵ２６は、図１１に示すように、操作パネル２０の表示部２１の時間範囲内データ表示エリア２１ｂに、平均ピッチタイム「１２３（ｓｅｃ）」と出来高「２４（枚）」との時間範囲内データをそれぞれ表示するとともに、グラフ表示エリア２１ａの１２時台と１３時台の棒グラフにおける、設定された任意の時間範囲に対応する時間範囲内の縫製終了数の部分と、その時間範囲外の縫製終了数の部分とを、異なる色で棒グラフに表示する（ステップＳ１０８）。具体的には、例えば、時間範囲内の縫製終了数の部分は青色、時間範囲外の縫製終了数の部分は白色で表示する。
ここで、時間範囲内に相当する青色表示部分は「１２時１７分」から「１３時４３分」までの間の縫製終了数「２４」であって、１２時台の後半側の「１５」と１３時台の前半側の「９」である。また、時間範囲外に相当する白色表示部分は、開始時刻である「１２時１７分」より前の縫製終了数「３」と、終了時刻である「１３時４３分」より後の縫製終了数「５」である。そして、開始時刻である「１２時１７分」より前の９時台、１０時台、１１時台と、終了時刻である「１３時４３分」より後の１４時台、１５時台、１６時台、１７時台、１８時台も、時間範囲外に相当する白色表示部分となる。
なお、棒グラフにおける時間範囲内の縫製終了数の部分と、その時間範囲外の縫製終了数の部分とを、異なる色で表示する際、時刻データの時間的連続性を考慮し、開始時刻の「１２時１７分」より前の縫製終了数である「３」相当部分の白色、「１２時１７分」から「１３時４３分」までの間の縫製終了数である「２４」相当部分の青色、終了時刻の「１３時４３分」より後の縫製終了数である「５」相当部分の白色を、下から順に積み上げつつ並べるように色分けした棒グラフを表示する。特に、時間範囲内に相当する青色表示部分である１２時台の後半側の「１５」と、１３時台の前半側の「９」とは、１２時台と１３時台のそれぞれに分けて並べるように表示する。
【００３８】
このように、本発明に係るミシンの生産管理装置である縫製システム装置１００は、操作パネル２０の表示部２１に、縫製終了数を単位時間毎に集計した時間対縫製終了数の棒グラフを表示することができる。
特に、縫製システム装置１００は、操作パネル２０の表示部２１に表示される時間対縫製終了数の棒グラフに関し、ユーザが任意に設定した時間範囲に対応する時間範囲内の縫製終了数の部分を青色に、その時間範囲外の縫製終了数の部分を白色に表示するように、任意に設定した時間範囲内に応じた縫製終了数と、時間範囲外に応じた縫製終了数とを識別可能に、異なる表示形態で棒グラフに表示することができるとともに、その設定した時間範囲内における縫製終了数や、各縫製に要した平均所要時間（平均ピッチタイム）を、表示部２１に表示することができる。
そして、ユーザは、任意に設定した時間範囲の範囲内、範囲外にそれぞれ対応する縫製終了数が色分けされて表示される棒グラフや、その棒グラフとともに表示される時間範囲内における縫製終了数の数値等を視認することによって、任意の時間範囲における縫製終了数を容易に確認することができる。
つまり、縫製システム装置１００において、所定の単位時間である１時間毎などに集計されて表示される縫製終了数と、製造ロットや製品品番が切り替えられたタイミングなどに合わせて任意に設定した時間範囲に応じた縫製終了数の両方を、ユーザは容易に確認することができるので、ミシン１０における生産履歴をより詳細に把握することが可能になる。特に、製造ロットの切り替えの際などに生産ラインが止まるロスタイムを避けて時間範囲を設定することによって、各縫製に要した平均所要時間（平均ピッチタイム）をより正確に計測することが可能になる。
また、操作パネル２０の表示部２１に、任意に設定された時間範囲内の縫製終了数とともに表示される、その時間範囲内において各縫製に要した平均所要時間（平均ピッチタイム）を視認して確認することにより、ユーザが設定した任意の時間範囲における生産効率などを把握しやすくなっている。
このように、縫製システム装置１００は、縫製に関する生産履歴を容易に把握することができるミシンの生産管理装置であるといえる。
【００３９】
なお、以上の実施の形態においては、縫製終了タイミング信号として、糸切り信号を用いるとともに、タイミング信号の発生時刻を特定する情報として糸切り信号の発生時刻そのものを縫製時間データとしてメモリ２４に記憶させたが、本発明はこれに限定されるものではなく、例えば、タイミング信号の発生時刻を特定する情報としては、縫製開始後、最初に出力されるタイミング信号の発生時刻を一つの基準時刻とし、その後のタイミング信号の発生時間間隔とを組み合わせた情報でもよい。
さらに、タイミング信号としては、縫製の開始を示す起動信号を用いてもよいし、所定の押しボタンスイッチを設けて、縫製の開始または終了毎に作業者がこの押しボタンスイッチを押すことによって、タイミング信号を発生させてもよい。
【００４０】
また、以上の実施の形態においては、設定した時間範囲に対応する時間範囲内の縫製終了数の部分を青色に、その時間範囲外の縫製終了数の部分を白色に表示するとしたが、本発明はこれに限定されるものではなく、それぞれの部分が識別可能となる他の色（任意の色）で表示したり、模様などをつけることで異なる表示形態として表示したりするようにしてもよい。
【００４１】
また、以上の実施の形態においては、設定された任意の時間範囲が所定の単位時間内であって１つ（１本）の棒グラフ内に収まる場合と、設定された任意の時間範囲が所定の単位時間を越えて２つ（２本）の棒グラフに亘る場合とについて例示して説明したが、本発明はこれに限定されるものではなく、例えば、設定された任意の時間範囲が所定の単位時間を越えて３つ（３本）以上の棒グラフに亘ってもよい。
なお、この場合、設定された任意の時間範囲の開始時刻が含まれる時刻データ（縫製終了数のデータ）と、終了時刻が含まれる時刻データ（縫製終了数のデータ）とを取得し、それぞれの時刻データにおける時間範囲内の縫製終了数の部分と、その時間範囲外の縫製終了数の部分とを、異なる色で棒グラフに表示して、この２本の棒グラフに挟まれる幾つかの棒グラフを、時間範囲内の縫製終了数の部分としての色（表示形態）で表示するようにすればよい。
具体的には、開始時刻が含まれる時刻データに対応する棒グラフにあっては、開始時刻より前の前半側を白色、開始時刻より後の後半側を青色に色分けして表示し、終了時刻が含まれる時刻データに対応する棒グラフにあっては、終了時刻より前の前半側を青色、終了時刻より後の後半側を白色に色分けして表示する。そして、この２本の棒グラフに挟まれる幾つかの棒グラフを青色で表示し、この２本の棒グラフの外側（時間外）となる幾つかの棒グラフを白色で表示するようにすればよい。
【００４２】
また、その他、具体的な細部構造等についても適宜に変更可能であることは勿論である。
【図面の簡単な説明】
【００４３】
【図１】本発明に係る縫製システム装置の正面図である。
【図２】本発明に係る縫製システム装置の要部構成を示すブロック図である。
【図３】操作パネルの正面図である。
【図４】単位時間当たりの縫製終了数を計測する処理を示す説明図である。
【図５】操作パネルの表示部に表示されるグラフ画面の一例を示す説明図である。
【図６】操作パネルの表示部に表示されるグラフ画面の一例を示す説明図である。
【図７】本発明に係る縫製システム装置における、グラフの表示形態を変化させる処理を示すフローチャートである。
【図８】操作パネルの表示部に表示される表示画面の一例を示す説明図である。
【図９】時刻データ（縫製終了数のデータ）の一例を示す説明図である。
【図１０】操作パネルの表示部に表示される表示画面の一例を示す説明図である。
【図１１】操作パネルの表示部に表示されるグラフ画面の一例を示す説明図である。
【符号の説明】
【００４４】
１０    ミシン
１１    制御装置
２０    操作パネル
２１    表示部（表示手段）
２２    操作ボタン（時間範囲設定手段）
２２ａ  範囲設置キー（時間範囲設定手段）
２２ｂ  テンキー（時間範囲設定手段）
２３    タイマー
２４    メモリ（縫製時間記憶手段）
２６    ＣＰＵ（縫製終了数取得手段、時間範囲設定手段、表示制御手段、時間範囲内データ取得手段）
１００  縫製システム装置（ミシンの生産管理装置）
【図１】
2008125865.tif 000003
【図２】
2008125865.tif 000004
【図３】
2008125865.tif 000005
【図４】
2008125865.tif 000006
【図５】
2008125865.tif 000007
【図６】
2008125865.tif 000008
【図７】
2008125865.tif 000009
【図８】
2008125865.tif 000010
【図９】
2008125865.tif 000011
【図１０】
2008125865.tif 000012
【図１１】
2008125865.tif 000013